(57)【特許請求の範囲】
【請求項１】
天井空間に吊り下げて固定され筐体と化粧パネルとを備え、該筐体内には開放面を下向きに制御基板等が収納される電装箱を備えた空気調和機において、
前記電装箱に支軸回りに回動自在に取り付けられ該電装箱の開放面を開閉すると共に、閉時には表面に端子台及び試運転スイッチが露出する中蓋と、前記中蓋に前記支軸と共通の支軸回りに回動自在に取り付けられ前記中蓋を覆うと共に、閉時には前記試運転スイッチを露出させる窓が開口された外蓋とを備え、前記中蓋を閉じて前記端子台に電源ケーブルを接続自在に、前記外蓋を閉じて前記窓を通じ前記試運転スイッチを操作自在に構成したことを特徴とする空気調和機。
【請求項２】
前記外蓋に、閉時には前記電源ケーブルを前記中蓋に押圧して固定する押圧部を突設したことを特徴とする請求項１記載の空気調和機。
【発明の詳細な説明】
【０００１】
【発明の属する技術分野】
本発明は、空気調和機の電装箱の改良に関する。
【０００２】
【発明が解決しようとする課題】
一般に、空気調和機の本体内には、送風機、熱交換器等の機構部品と共に、それらを駆動制御する電装制御部品等が収納されている。
【０００３】
この電装制御部品は一般に電装箱と称される箱体に入れられて本体内に収納されている。ここで、電装箱には、電装制御部品等をコンパクトに収納できると共に、空気調和機の本体内の少ないスペースに設置することができること、また取付性や、施工性及びサービス性に優れていること等が要求されている。
【０００４】
従来の電装箱では、制御基板と端子台とが並列されており、設置スペースが大きくなる欠点があった。また、コネクター類が露出した状態で接続され、安全性に欠ける点もあり、さらには、電装箱がそれ自体で完全な箱体を構成していない場合には単体としての取り扱いが不便であった。
【０００５】
本発明は上述に鑑みて成されたものであり、コンパクトに構成できると共に使い勝手を向上させた電装箱を有する空気調和機を提供することを目的とする。
【０００６】
【課題を解決するための手段】
上述の目的を達成するための請求項１の発明は、天井空間に吊り下げて固定され筐体と化粧パネルとを備え、該筐体内には開放面を下向きに制御基板等が収納される電装箱を備えた空気調和機において、前記電装箱に支軸回りに回動自在に取り付けられ該電装箱の開放面を開閉すると共に、閉時には表面に端子台及び試運転スイッチが露出する中蓋と、前記中蓋に前記支軸と共通の支軸回りに回動自在に取り付けられ前記中蓋を覆うと共に、閉時には前記試運転スイッチを露出させる窓が開口された外蓋とを備え、前記中蓋を閉じて前記端子台に電源ケーブルを接続自在に、前記外蓋を閉じて前記窓を通じ前記試運転スイッチを操作自在に構成したことを特徴とする。
【０００７】
この発明によれば、中蓋及び外蓋を開くことにより、基板を電装箱に収納することができ、中蓋を閉じることで基板に触れることなく端子台やスイッチに接することができる。電装箱、中蓋、外蓋が一体化されるので、コンパクトに構成でき、設置スペースが縮小される。
【０００９】
この発明によれば、中蓋と外蓋の回動支軸を共通にすることで、コンパクト化が図られる。
【００１１】
この発明によれば、窓から中蓋のスイッチが露出するので外蓋を開けることなくスイッチを操作することができる。
【００１２】
また、請求項２の発明は、請求項１記載のものにおいて、前記外蓋に、閉時には前記電源ケーブルを前記中蓋に押圧して固定する押圧部を突設したことを特徴とする。
【００１３】
この発明によれば、外蓋を開けた状態で中蓋の端子台へのケーブル接続を行い、外蓋を閉めることで押圧部によってケーブルの固定がなされる。
【００１４】
【発明の実施の形態】
以下、本発明の一実施の形態を図面により説明する。
【００１５】
図２は本発明の一実施形態にかかる空気調和機の縦断面図、図３はその化粧パネルを外した状態の部分底面図である。
【００１６】
本空気調和機１１は、図示しない吊り金具によって天井空間に吊り下げて固定される天井埋め込み型の空気調和機であり、図２に示すように筐体１２と化粧パネル１４とを有する。筐体１２は天井板１３の開口部に装着され、その化粧パネル１４が天井板１３とほぼ同一の平面を構成する。化粧パネル１４は筐体１２に対して取り外し自在に設けられており、この化粧パネル１４を取り外すと筐体１２の内部が室内側に露出される。
【００１７】
筐体１２内には、送風装置であるクロスフローファン１５、熱交換器１６、それらを駆動制御する電装制御部品が収納された電装箱１７等が配設されている。この空気調和機１１はいわゆる一方向型の空気調和機であり、図２に実線矢印で示すように、吸込口１８から吸入された室内の空気は、クロスフローファン１５により、熱交換器１６に送られ、そこで熱交換された後、吹出口１９から室内に吹き出される。熱交換器１６には、図３に示すように冷媒管２０、２１が接続され、図示しない室外機から熱交換器１６に対して冷媒が導出入される。
【００１８】
熱交換器１６は吸込側が斜め下方に面するように傾斜される。熱交換器１６の吸込面の下方には吸込面に向かい合うように補助ドレンパン２２が設けられ、熱交換器１６の下縁部の下方には主ドレンパン２３が配設されている。
【００１９】
主ドレンパン２３は図２に示すように、補助ドレンパン２２の下端部に接続され、熱交換器１６の下部で生じたドレン及び補助ドレンパン２２によって運ばれるドレンを回収する。主ドレンパン２３は熱交換器１６の左右方向に延在し、図３において右側が低くなるように傾斜している。
【００２０】
主ドレンパン２３の右端にはドレン溜２４が形成され、そこにドレンポンプ２５が配設される。ドレンポンプ２５はドレン溜２４に溜まったドレンを吸引してドレン排出口２６に送り出し、ドレンはそこからドレンホースを介して筐体１２の外部に排出される。
【００２１】
図３に示すように、補助ドレンパン２２は概して方形の平面形状を有し、熱交換器１６の吸込面に対向する部分には、水平方向に延びる複数の樋状の受け部２７が形成されている。複数の受け部２７は、熱交換器１６の吸込面の下方を全域に亘ってカバーするように配設され、熱交換器１６から滴下するドレンをもれなく受けることができるように形成される。隣り合う受け部２７の間の隙間を通って熱交換器１６に空気が吸い込まれる。
【００２２】
次に、電装箱１７について説明する。図１は筐体の一部と共に表す電装箱の側面図、図４は電装箱の中蓋の底面図、図５は電装箱の底面図である。図３において、筐体１２の内部、右下隅部には電装箱１７が配設されている。図１に示すように、電装箱１７は概して、一つの支軸３２を中心として回動自在に取り付けられた中蓋３３及び外蓋３４を有している。
【００２３】
電装箱１７は一端面側が開放された収納箱部３５と収納箱部３５の開放端縁に横方向に延びる中蓋置台部３６を有している。
【００２４】
電装箱１７は、図２に示すように、収納箱部３５の側壁に突設された取付片３７を用いて空気調和機１１の筐体１２内部にその開放面が下向きになるように固定される。収納箱部３５内には、図５に示すように、空気調和機１１の運転を制御するための２枚のメイン基板３８、３９が長手方向に沿って取り外し自在に収納される。図５に示すように、電装箱１７の中蓋置台部３６の両側端部に支持片４０が突設され、その支持片４０にそれぞれ支軸突起４１が相対向するように形成されると共に、支持片４０の先端にストッパ部４２が形成されている。メイン基板３８、３９への配線４３は中蓋置台部３６の側部に配置された配線スペース４４に導かれ、そこから中蓋３３の端子台５７及びスイッチ基板（図示せず）に導かれるようになっている。
【００２５】
中蓋３３は、図１、及び図４に示すように、略方形の底板５１と、底板５１の三方の外縁部に立設された側板５２とからなる扁平な箱形の形状を有している。中蓋３３の両側端部には支持片５３が突設され、その支持片５３の外面に前記電装箱３１の支持片４０の支軸突起４１が嵌入する凹部５４が形成されると共に、支持片５３の内面にそれぞれ支軸突起５５が相対向するように形成されている（図４参照）。前記凹部５４に電装箱１７の支軸突起４１を嵌入させると、中蓋３３は電装箱１７に回動自在に取り付けられ、回動により中蓋３３が電装箱１７の開放面を開閉自在に覆う。中蓋３３が閉じた時、中蓋３３は電装箱１７の中蓋置台部３６に当接して安定的に支持される。
【００２６】
中蓋３３の表面には、図４に示すように、電源ケーブル５６等を接続する端子台５７、施工時における試運転スイッチ５８、信号線を接続する信号線コネクター５９が取り付けられている。中蓋３３の裏面側には試運転スイッチ５８のスイッチ基板（図示せず）が固定される。また、信号線コネクター５９に近接して、側板５２の一部分に電気信号線入り口部６０が開設される。
【００２７】
外蓋３４は、図１、図３に示すように、略方形の蓋板６１と、蓋板６１の先端縁に立設された側板６２とを有し、外蓋３４を閉じたときに中蓋３３とで閉じた箱形が形成されるようになっている。外蓋３４の両側端部には支持片６３が突設され、その支持片６３の外面には前記中蓋３３の支持片５３の支軸突起５５が嵌入する凹部（図示せず）が形成される。前記支軸突起５５をこの凹部に嵌入することにより、外蓋３４は中蓋３３（電装箱１７）に回動自在に取り付けられ、回動により外蓋３４が中蓋３３の表面を開閉自在に覆う。
【００２８】
外蓋３４には中蓋３３の試運転スイッチ５８の配設位置に対応して窓６４が開口され、その窓６４の縁部に仕切枠６５が中蓋３３側に向けて突設されている。外蓋３４を中蓋３３に対して閉じた時、仕切枠６５が試運転スイッチ５８を取り囲んだ状態で中蓋３３の底板５１に当接すると共に、窓６４が試運転スイッチ５８を外部から操作できるように露出させる。
【００２９】
また、外蓋３４には中蓋３３に取り付けられるケーブル５６の位置に対応して押圧部６６が中蓋３３に向けて突設されており、外蓋３４を閉じたときに押圧部６６がケーブル５６に当接してケーブル５６を中蓋３３の底板５１に押圧して固定するようになっている。
【００３０】
このような構成において、中蓋３３及び外蓋３４を開くことでメイン基板３８、３９を電装箱１７に容易に収納することができ、中蓋３３を閉じることでメイン基板３８、３９に触れることなく端子台５７へのケーブル５６等の装着を行うことができる。また、電装箱１７、中蓋３３、外蓋３４が一体化されるので、電装箱１７全体をコンパクトに構成でき、設置スペースの縮小化を図ることができる。尚、本例では、中蓋３３と外蓋３４の回動支軸３２を共通にすることで、より一層のコンパクト化が図られている。
【００３１】
外蓋３４は電装箱１７の中蓋を成すものであると同時に、スイッチ基板、信号線コネクター５９等の蓋でもあり、且つ、ケーブル５６の固定具としても機能する。外蓋３４を閉じた状態でも窓６４を通して試運転スイッチ５８を操作することが可能である。
【００３２】
以上、本発明の具体的な実施形態について説明したが、本発明は上述した実施形態に限定されるものではなく、本発明の要旨を逸脱しない範囲で種々の変形が可能である。
【００３３】
例えば、中蓋３３と外蓋３４の支軸を別に設けてもよいし、また、電装箱１７、中蓋３３、外蓋３４に設けられる部材も空気調和機のタイプに応じて適宜選択し得るものである。
【００３４】
また実施形態では、一方向型の空気調和機を示しているが、これに限らず二方向型、その他空気調和機全般に亘って本発明を適用することができる。
【００３５】
【発明の効果】
以上述べたように本発明によれば、電装箱と中蓋と外蓋とにより構成されるので、中蓋、外蓋を適宜開閉することで施工、作業を安全且つ容易に行うことが可能となり使い勝手が向上すると共に、電装箱をコンパクトに構成できるので空気調和機の小形化を図ることができる。
【図面の簡単な説明】
【図１】本発明の一実施例に係る空気調和機の筐体の一部と共に表す電装箱の側面図である。
【図２】図１の空気調和機の縦断面図である。
【図３】図１の空気調和機の化粧パネルを外した状態の部分底面図である。
【図４】図１の空気調和機の電装箱の中蓋の底面図である。
【図５】図１の空気調和機の電装箱の底面図である。
【符号の説明】
１１  空気調和機
１２  筐体
１３  天井板
１４  化粧パネル
１５  クロスフローファン
１６  熱交換器
１７  電装箱
１８  吸込口
１９  吹出口
２７  受け部
３２  支軸
３３  中蓋
３４  外蓋
３５  収納箱部
３６  中蓋置台部
３８、３９  メイン基板
４４  配線スペース
５６  ケーブル
５７  端子台
５８  試運転スイッチ
５９  信号線コネクター
６０  電気信号線入り口部
６４  窓
６６  押圧部
【図１】
0003819496.tif 000002
【図２】
0003819496.tif 000003
【図３】
0003819496.tif 000004
【図４】
0003819496.tif 000005
【図５】
0003819496.tif 000006